【手続補正書】
【提出日】平成27年7月29日(2015.7.29)
【手続補正１】
【補正対象書類名】明細書
【補正対象項目名】０１０８
【補正方法】変更
【補正の内容】
【０１０８】
さらに、上記の構成による照明器３は、当該照明器３を装着した画像取得システム１の設定・調節時間を短縮させることができる。
〔態様１〕
物体の画像を取得する光学装置（２）を備えた画像取得システム（１）用の照明器（３）であって、
前記光学装置（２）には光学手段（６）が設けられ、
当該照明器（３）は、前記光学装置（２）に連結可能であり、
前記光学手段（６）を挿通させる開口（２１）が設けられたボディ（２０）と、
前記ボディ（２０）の前面（２２）において前記開口（２１）の周りに設置された照明手段（２３）であって、前記前面（２２）の前方の空間を照明するように前記光学装置（２）によって指令可能である照明手段（２３）と、
当該照明器（３）の電子制御手段と、
放熱手段と、
当該照明器（３）を少なくとも前記光学装置（２）に対して着脱可能に固定する連結手段（４０）と、を備えた照明器（３）において、
前記ボディ（２０）の前記前面（２２）の反対側の後面（２５）が、複数の別個の機能的なケース要素を具備し、
前記光学装置（２）に当該照明器（３）を連結した場合に、前記光学手段（６）に人間の手が届くように、かつ、前記装置（２）から前記光学手段（６）を人間が取り外すことと、前記光学手段（６）の光学的な調節手段（７，８）を人間が調節することとのいずれか一方または両方を可能にするように、前記複数の機能的なケース要素は、
前記開口（２１）の周りに配置され、かつ、
前記複数の機能的なケース要素は、少なくとも前記電子制御手段を収容することと、前記放熱手段と前記連結手段のいずれか一方または両方を画成することとのいずれか一方または両方を実現することを特徴とする、照明器（３）。
〔態様２〕
態様１に記載の照明器（３）において、前記照明手段（２３）が、前記前面（２２）の前壁（２７）に固定され、
当該照明器（３）が、さらに、
前記照明手段（２３）を保護する保護手段（２８）を備え、
当該保護手段（２８）も、前記前壁（２７）に固定されている、照明器（３）。
〔態様３〕
態様２に記載の照明器（３）において、さらに、
視野の基準表示であって、人間のための基準表示を少なくとも発する照準手段（３０ａ，３０ｂ）を備え、
当該照準手段（３０ａ，３０ｂ）は、前記前壁（２７）から光を発射するように設置され、当該照準手段（３０ａ，３０ｂ）は、予め設定された向きの少なくとも第１の光発射ビーム（３０ａ）を含む、照明器（３）。
〔態様４〕
態様３に記載の照明器（３）において、前記照準手段は、さらに、予め設定された向きの少なくとも第２の光発射ビーム（３０ｂ）を含み、前記第１の光発射手段（３０ａ）および前記第２の光発射手段（３０ｂ）が、前記開口（２１）の両側方にそれぞれ配置されかつ前記開口（２１）の中心を通る直線に沿って整列している、照明器（３）。
〔態様５〕
態様２から４のいずれか一態様に記載の照明器（３）において、さらに、
人間のための光表示手段（３１ａ，３１ｂ）を備え、当該光表示手段（３１ａ，３１ｂ）は、前記前壁（２７）から発光するように設置され、かつ、その前壁（２７）に収容され、また、当該光表示手段（３１ａ，３１ｂ）は、少なくとも第１の光表示体（３１ａ）を含む、照明器（３）。
〔態様６〕
態様５に記載の照明器（３）において、前記光表示手段（３１ａ，３１ｂ）が、さらに、第２の光表示体（３１ｂ）を含み、前記第１の光表示体（３１ａ）および前記第２の光表示体（３１ｂ）が、前記開口（２１）の両側方にそれぞれ配置されかつ前記開口（２１）の中心を通る直線に沿って整列している、照明器（３）。
〔態様７〕
態様４に従属する態様６に記載の照明器（３）において、前記第１の光発射ビーム（３０ａ）および前記第２の光発射ビーム（３０ｂ）が整列する前記直線と、前記第１の光表示体（３１ａ）および前記第２の光表示体（３１ｂ）が整列する前記直線とが直交する、照明器（３）。
〔態様８〕
態様２から７のいずれか一態様に記載の照明器（３）において、さらに、
読取結果を知らせる音響報知手段（３２）を備え、
当該音響報知手段（３２）は、前記前壁（２７）に収容され、前記保護手段（２８）のフレーム（３３）に設置されている、照明器（３）。
〔態様９〕
態様１から８のいずれか一態様に記載の照明器（３）において、さらに、
当該照明器（３）のステータスを示すステータス光表示手段（３５）を備え、
当該ステータス光表示手段（３５）は、前記ボディ（２０）の側壁（３４）に収容されている、照明器（３）。
〔態様１０〕
態様１から９に記載の照明器（３）において、前記後面（２５）が後壁（３６）を有し、前記複数の別個の機能的なケース要素（特に、所与の形状を有しかつ角部が丸みを帯びている機能的なケース要素）が、前記開口（２１）から適宜離間した状態と、前記開口（２１）を基準として適宜分散した状態とのいずれか一方または両方の状態で、前記後壁（３６）に対して、連結と固定のいずれか一方または両方がなされている、照明器（３）。
〔態様１１〕
態様１０に記載の照明器（３）において、さらに、
高さが低減された（特に、予め設定された高さ未満の高さの）前記機能的なケース要素の第１のセット（３７）を備え、
当該第１のセット（３７）の前記機能的なケース要素は、前記後壁（３６）の第１のセクタにおいて、前記光学手段（６）に対する障害物がなく側方からの優先アクセス部位を画成するように、前記開口（２１）と前記ボディ（２０）の側壁（３４）との間に設置されている、照明器（３）。
〔態様１２〕
態様１１に記載の照明器（３）において、前記ボディ（２０）が略直方形のプレートであり、前記第１のセクタが、前記側壁（３４）の長辺側縁（３４ａ）全域に沿って延在している、照明器（３）。
〔態様１３〕
態様１から１２に記載の照明器（３）において、前記放熱手段が、前記機能的なケース要素の第２のセット（３８，３８ａ）によって構成されている、照明器（３）。
〔態様１４〕
態様１０に従属する態様１３に記載の照明器（３）において、前記第２のセット（３８，３８ａ）のうちの少なくとも１つの要素（３８ａ）が、前記開口（２１）から遠ざかるように傾斜した壁を有する（すなわち、前記後壁（３６）から離れるにつれて、当該要素（３８ａ）と前記開口（２１）の対称軸との距離が、その対称軸に沿って増加する）、照明器（３）。
〔態様１５〕
態様１３または１４および態様１１に記載の照明器（３）において、前記第２のセット（３８）が、前記第１のセット（３７）を含む、照明器（３）。
〔態様１６〕
態様１から１５に記載の照明器（３）において、さらに、
前記電子制御手段の収納手段を備え、
当該収納手段は、前記機能的なケース要素の第３のセット（３９，３９ａ，３９ｂ，３９ｃ）によって構成されている、照明器（３）。
〔態様１７〕
態様１６に記載の照明器（３）において、前記ボディ（２０）が略直方形のプレートであり、前記第３のセット（３９，３９ａ，３９ｂ，３９ｃ）のうちの少なくとも１つの要素（３９ａ）が、前記ボディ（２０）の側壁（３４）の短辺側縁（３４ｂ）全域に沿って設置されて延在している、照明器（３）。
〔態様１８〕
態様１から１７に記載の照明器（３）において、前記連結手段が、前記光学装置（２）と外部の取付ポイントのいずれか一方または両方に当該照明器（３）を着脱可能に連結するのに適しており、前記連結手段は、機能的なケース要素の第４のセット（４０，１９ａ，１９ｂ，４１）によって構成されている、照明器（３）。
〔態様１９〕
態様１８に記載の照明器（３）において、前記第４のセット（４０）のうちの少なくとも１つの要素（１９ｂ）が、前記ボディ（２０）の側壁（３４）の短辺側縁（３４ｂ）の少なくとも一部に沿って設置されて延在している、照明器（３）。
〔態様２０〕
態様１１に従属する態様１９に記載の照明器（３）において、前記第４のセットのうち、前記光学装置（２）への固定用の少なくとも１つの要素（１９ａ）が、前記開口（２１）を基準として前記第１のセクタとは正反対側にある、前記後壁（３６）の第２のセクタに配置されている、照明器（３）。
〔態様２１〕
態様１６から２０のいずれか一態様に記載の照明器（３）において、さらに、
当該照明器（３）と前記光学装置（２）との間の通信用のコネクタ手段（４２ａ）と、
前記第３のセット（３９，３９ａ，３９ｂ，３９ｃ）のうちの手段であって、前記コネクタ手段（４２ａ）が接続される、さらなる収納手段（１９ｃ）とを備えた、照明器（３）。
〔態様２２〕
態様１１に従属する態様２１に記載の照明器（３）において、前記さらなる収納手段（１９ｃ）が、前記側方からの優先アクセス部位（３７）の反対側の位置に設置され（特に、前記側壁（３４）の長辺側縁（３４ａ）に沿って設置され）ている、照明器（３）。
〔態様２３〕
態様１から２２に記載の照明器（３）において、前記後面（２５）が、前記開口（２１）の位置および前記開口（２１）の周辺に、前記機能的なケース要素によって画定された障害物のない凹形空間を有している、照明器（３）。
〔態様２４〕
物体の画像を取得する光学装置（２）と、態様１から２３のいずれか一態様に記載の照明器（３）と、を備えた画像取得システム（１）。
〔態様２５〕
物体の画像を取得する光学装置（２）を備えた画像取得システム（１）用の照明器（３）であって、
前記光学装置（２）には光学手段（６）が設けられ、
当該照明器（３）は、前記光学装置（２）に連結可能であり、
前記光学手段（６）を挿通させる開口（２１）が設けられたボディ（２０）と、
前記ボディ（２０）の前面（２２）において前記開口（２１）の周りに設置された照明手段（２３）であって、前記前面（２２）の前方の空間を照明するように前記光学装置（２）によってオン切替が指令可能である照明手段（２３）と、を備えた照明器（３）において、
さらに、
人間のための表示／報知手段（３０ａ，３０ｂ，３１ａ，３１ｂ，３２，３５）と、
前記表示／報知手段（３０ａ，３０ｂ，３１ａ，３１ｂ，３２，３５）を制御する制御手段と、
当該制御手段に接続された通信手段であって、当該照明器（３）によって格納されているかもしくは測定され、または当該照明器（３）によって格納されかつ測定された情報と、前記表示／報知手段（３０ａ，３０ｂ，３１ａ，３１ｂ，３２，３５）によって前記人間に提供される表示／報知とのいずれか一方または両方に関して、前記光学装置（２）とデータを交換することと、前記光学装置（２）から指令を受け取ることとのいずれか一方または両方を行う通信手段と、
を備えたことを特徴とする、照明器（３）。
〔態様２６〕
態様２５に記載の照明器（３）において、人間のための前記表示／報知手段（３０ａ，３０ｂ，３１ａ，３１ｂ，３２，３５）が、視野を示す少なくとも１つの表示を発する照準手段（３０ａ，３０ｂ）と、光表示手段（３１ａ，３１ｂ）と、ポジティブな読取結果を知らせる音響報知手段（３２）と、前記光学手段（２）のステータスを示すステータス光表示手段（３５）とのいずれか１つまたは任意の組合せを含む、照明器（３）。
〔態様２７〕
態様２６に記載の照明器（３）において、前記照準手段（３０ａ，２０ｂ）が、予め設定された向きの第１の光発射ビーム（３０ａ）と、予め設定された向きの第２の光発射ビーム（３０ｂ）のいずれか一方または両方を含むことと、
前記光表示手段が、ポジティブな読取結果を示す第１の表示体（３１ａ）とネガティブな読取結果を示す第２の表示体（３１ｂ）のいずれか一方または両方を含むこととのいずれか一方または両方を満たす、照明器（３）。
〔態様２８〕
態様２７に記載の照明器（３）において、前記通信手段が、前記光学装置（２）に接続するための通信用のコネクタ手段（４２ａ）を含み、ポジティブな読取結果もしくはネガティブな読取結果を示す前記表示手段（３１ａ，３１ｂ）が、前記通信用のコネクタ手段（４２ａ）のうちの対応する接点で受け取り可能なデジタル信号（特に、前記通信用のコネクタ手段（４２ａ）の第１の接点および第２の接点でそれぞれ受け取り可能な第１のデジタル信号および第２のデジタル信号）によって指令可能である、照明器（３）。
〔態様２９〕
態様２６から２８のいずれか一態様に記載の照明器（３）において、前記通信手段が、前記光学装置（２）に接続する通信用のコネクタ手段（４２ａ）を含み、前記照準手段（３０ａ，３０ｂ）が、前記通信用のコネクタ手段（４２ａ）のうちの対応する接点で受け取り可能なデジタル信号（特に、前記通信用のコネクタ手段（４２ａ）の第３の接点で受け取り可能な第３のデジタル信号）によって指令可能である、照明器（３）。
〔態様３０〕
態様２５から２９のいずれか一態様に記載の照明器（３）において、前記通信手段が、前記光学装置（２）に接続する通信用のコネクタ手段（４２ａ）を含み、前記照明手段（２３）のオン切替が、前記通信用のコネクタ手段（４２ａ）のうちの対応する接点で受け取り可能なデジタル信号（特に、前記通信用のコネクタ手段（４２ａ）の第４の接点で受け取り可能な第４のデジタル信号）によって指令可能である、照明器（３）。
〔態様３１〕
態様２５から３０のいずれか一態様に記載の照明器（３）において、前記照明手段が、予め定められた数のセットにグループ分け可能な（特に、少なくとも２つのセットにグループ分け可能で、好ましくは、少なくとも４つのセットにグループ分け可能な）複数の照明素子を含み、各セットのオン切替が個別に指令可能である、照明器（３）。
〔態様３２〕
態様２５から３１のいずれか一態様に記載の照明器（３）において、前記通信手段は、当該照明器（３）が、前記光学装置（２）から指令を受け取ることと、前記光学装置（２）とデータを交換することとのいずれか一方または両方を行う通信ネットワーク（特に、当該照明器（３）を制御する前記制御手段によって格納されているかもしくは測定され、または前記制御手段によって格納されかつ測定された、１つのデジタルデータもしくは複雑なデータ構造を交換することができる通信ネットワーク）を含む、照明器（３）。
〔態様３３〕
態様３１に従属する態様３２に記載の照明器（３）において、前記セットのそれぞれの前記オン切替が、前記通信ネットワークで受け取り可能な対応する指令（特に、第１の指令）によって個別に指令可能である、照明器（３）。
〔態様３４〕
態様３１に従属する態様３２に記載の照明器（３）において、前記照明素子の光強度が、前記通信ネットワークで受け取り可能な対応する指令（特に、第２の指令）によって指令可能である、照明器（３）。
〔態様３５〕
態様２６から３１のいずれか一態様に従属する場合の態様３２に記載の照明器（３）において、前記音響報知手段（３２）が、前記通信ネットワークで受け取り可能な対応する指令（特に、第３の指令）によって指令可能であることと、
前記ステータス光表示手段（３５）が、前記通信ネットワークで受け取り可能な対応する指令（特に、第４の指令）によって指令可能であることとのいずれか一方または両方を満足する、照明器（３）。
〔態様３６〕
態様３２に記載の照明器（３）において、当該照明器（３）に格納された前記情報が、前記制御手段に格納された当該照明器（３）のバージョンを含み、当該バージョンは、前記通信ネットワークで受け取り可能な対応する指令（特に、第５の指令）により、前記通信ネットワークを介して前記光学装置（２）が取得可能である、照明器（３）。
〔態様３７〕
態様３２に記載の照明器（３）において、さらに、
当該照明器（３）の診断手段を備え、
複雑な情報データが、前記診断手段によって測定と処理のいずれか一方または両方が行われた診断情報であり、当該診断情報は、前記通信ネットワークで受け取り可能な対応する指令（特に、第６の指令）により、前記通信ネットワークを介して前記光学装置（２）が取得可能である、照明器（３）。
〔態様３８〕
態様３２から３７のいずれか一態様に記載の照明器（３）において、前記通信手段が、前記光学装置（２）に接続する通信用のコネクタ手段（４２ａ）を含み、前記通信ネットワーク（特に、Ｉ２Ｃバス）が、前記通信用のコネクタ手段（４２ａ）のうちの２つの接点（特に、前記通信用のコネクタ手段（４２ａ）の第５の接点および第６の接点）によって構成可能である、照明器（３）。
〔態様３９〕
物体の画像を取得する光学装置（２）と、態様２５から３８のいずれか一態様に記載の照明器（３）と、を備えた画像取得システム（１）。
【手続補正２】
【補正対象書類名】特許請求の範囲
【補正対象項目名】全文
【補正方法】変更
【補正の内容】
【特許請求の範囲】
【請求項１】
物体の画像を取得する光学装置（２）を備えた画像取得システム（１）用の照明器（３）であって、
前記光学装置（２）には光学手段（６）が設けられ、
当該照明器（３）は、前記光学装置（２）に連結可能であり、
前記光学手段（６）を挿通させる開口（２１）が設けられたボディ（２０）と、
前記ボディ（２０）の前面（２２）において前記開口（２１）の周りに設置された照明手段（２３）であって、前記前面（２２）の前方の空間を照明するように前記光学装置（２）によって指令可能である照明手段（２３）と、
当該照明器（３）の電子制御手段と、
放熱手段と、
当該照明器（３）を少なくとも前記光学装置（２）に対して着脱可能に固定する連結手段（４０）と、を備えた照明器（３）において、
前記ボディ（２０）の前記前面（２２）の反対側の後面（２５）が、複数の別個の機能的なケース要素を具備し、
前記光学装置（２）に当該照明器（３）を連結した場合に、前記光学手段（６）に人間の手が届くように、かつ、前記装置（２）から前記光学手段（６）を人間が取り外すことと、前記光学手段（６）の光学的な調節手段（７，８）を人間が調節することとのいずれか一方または両方を可能にするように、前記複数の機能的なケース要素は、
前記開口（２１）の周りに配置され、かつ、
前記複数の機能的なケース要素は、少なくとも前記電子制御手段を収容することと、前記放熱手段と前記連結手段のいずれか一方または両方を画成することとのいずれか一方または両方を実現することを特徴とする、照明器（３）。
【請求項２】
請求項１に記載の照明器（３）において、前記照明手段（２３）が、前記前面（２２）の前壁（２７）に固定され、
当該照明器（３）が、さらに、
前記照明手段（２３）を保護する保護手段（２８）を備え、
当該保護手段（２８）も、前記前壁（２７）に固定されている、照明器（３）。
【請求項３】
請求項２に記載の照明器（３）において、さらに、
視野の基準表示であって、人間のための基準表示を少なくとも発する照準手段（３０ａ，３０ｂ）を備え、
当該照準手段（３０ａ，３０ｂ）は、前記前壁（２７）から光を発射するように設置され、当該照準手段（３０ａ，３０ｂ）は、予め設定された向きの少なくとも第１の光発射手段（３０ａ）を含む、照明器（３）。
【請求項４】
請求項３に記載の照明器（３）において、前記照準手段は、さらに、予め設定された向きの少なくとも第２の光発射手段（３０ｂ）を含み、前記第１の光発射手段（３０ａ）および前記第２の光発射手段（３０ｂ）が、前記開口（２１）の両側方にそれぞれ配置されかつ前記開口（２１）の中心を通る直線に沿って整列している、照明器（３）。
【請求項５】
請求項２から４のいずれか一項に記載の照明器（３）において、さらに、
人間のための光表示手段（３１ａ，３１ｂ）を備え、当該光表示手段（３１ａ，３１ｂ）は、前記前壁（２７）から発光するように設置され、かつ、その前壁（２７）に収容され、また、当該光表示手段（３１ａ，３１ｂ）は、少なくとも第１の光表示体（３１ａ）を含む、照明器（３）。
【請求項６】
請求項５に記載の照明器（３）において、前記光表示手段（３１ａ，３１ｂ）が、さらに、第２の光表示体（３１ｂ）を含み、前記第１の光表示体（３１ａ）および前記第２の光表示体（３１ｂ）が、前記開口（２１）の両側方にそれぞれ配置されかつ前記開口（２１）の中心を通る直線に沿って整列している、照明器（３）。
【請求項７】
請求項４に従属する請求項６に記載の照明器（３）において、前記第１の光発射手段（３０ａ）および前記第２の光発射手段（３０ｂ）が整列する前記直線と、前記第１の光表示体（３１ａ）および前記第２の光表示体（３１ｂ）が整列する前記直線とが直交する、照明器（３）。
【請求項８】
請求項２から７のいずれか一項に記載の照明器（３）において、さらに、
読取結果を知らせる音響報知手段（３２）を備え、
当該音響報知手段（３２）は、前記前壁（２７）に収容され、前記保護手段（２８）のフレーム（３３）に設置されている、照明器（３）。
【請求項９】
請求項１から８のいずれか一項に記載の照明器（３）において、さらに、
当該照明器（３）のステータスを示すステータス光表示手段（３５）を備え、
当該ステータス光表示手段（３５）は、前記ボディ（２０）の側壁（３４）に収容されている、照明器（３）。
【請求項１０】
請求項１から９のいずれか一項に記載の照明器（３）において、前記後面（２５）が後壁（３６）を有し、前記複数の別個の機能的なケース要素が、前記開口（２１）から適宜離間した状態と、前記開口（２１）を基準として適宜分散した状態とのいずれか一方または両方の状態で、前記後壁（３６）に対して、連結と固定のいずれか一方または両方がなされている、照明器（３）。
【請求項１１】
請求項１０に記載の照明器（３）において、さらに、
高さが低減された前記機能的なケース要素の第１のセット（３７）を備え、
当該第１のセット（３７）の前記機能的なケース要素は、前記後壁（３６）の第１のセクタにおいて、前記光学手段（６）に対する障害物がなく側方からの優先アクセス部位を画成するように、前記開口（２１）と前記ボディ（２０）の側壁（３４）との間に設置されている、照明器（３）。
【請求項１２】
請求項１１に記載の照明器（３）において、前記ボディ（２０）が略直方形のプレートであり、前記第１のセクタが、前記側壁（３４）の長辺側縁（３４ａ）全域に沿って延在している、照明器（３）。
【請求項１３】
請求項１から１２のいずれか一項に記載の照明器（３）において、前記放熱手段が、前記機能的なケース要素の第２のセット（３８，３８ａ）によって構成されている、照明器（３）。
【請求項１４】
請求項１０に従属する請求項１３に記載の照明器（３）において、前記第２のセット（３８，３８ａ）のうちの少なくとも１つの要素（３８ａ）が、前記開口（２１）から遠ざかるように傾斜した壁を有し、前記後壁（３６）から離れるにつれて、当該要素（３８ａ）と前記開口（２１）の対称軸との距離が、その対称軸に沿って増加する、照明器（３）。
【請求項１５】
請求項１３または１４および請求項１１に記載の照明器（３）において、前記第２のセット（３８）が、前記第１のセット（３７）を含む、照明器（３）。
【請求項１６】
請求項１から１５のいずれか一項に記載の照明器（３）において、さらに、
前記電子制御手段の収納手段を備え、
当該収納手段は、前記機能的なケース要素の第３のセット（３９，３９ａ，３９ｂ，３９ｃ）によって構成されている、照明器（３）。
【請求項１７】
請求項１６に記載の照明器（３）において、前記ボディ（２０）が略直方形のプレートであり、前記第３のセット（３９，３９ａ，３９ｂ，３９ｃ）のうちの少なくとも１つの要素（３９ａ）が、前記ボディ（２０）の側壁（３４）の短辺側縁（３４ｂ）全域に沿って設置されて延在している、照明器（３）。
【請求項１８】
請求項１から１７のいずれか一項に記載の照明器（３）において、前記連結手段が、前記光学装置（２）と外部の取付ポイントのいずれか一方または両方に当該照明器（３）を着脱可能に連結するのに適しており、前記連結手段は、機能的なケース要素の第４のセット（４０，１９ａ，１９ｂ，４１）によって構成されている、照明器（３）。
【請求項１９】
請求項１８に記載の照明器（３）において、前記第４のセット（４０）のうちの少なくとも１つの要素（１９ｂ）が、前記ボディ（２０）の側壁（３４）の短辺側縁（３４ｂ）の少なくとも一部に沿って設置されて延在している、照明器（３）。
【請求項２０】
請求項１１に従属する請求項１９に記載の照明器（３）において、前記第４のセットのうち、前記光学装置（２）への固定用の少なくとも１つの要素（１９ａ）が、前記開口（２１）を基準として前記第１のセクタとは正反対側にある、前記後壁（３６）の第２のセクタに配置されている、照明器（３）。
【請求項２１】
請求項１６から２０のいずれか一項に記載の照明器（３）において、さらに、
当該照明器（３）と前記光学装置（２）との間の通信用のコネクタ手段（４２ａ）と、
前記第３のセット（３９，３９ａ，３９ｂ，３９ｃ）のうちの手段であって、前記コネクタ手段（４２ａ）が接続される、さらなる収納手段（１９ｃ）とを備えた、照明器（３）。
【請求項２２】
請求項１１に従属する請求項２１に記載の照明器（３）において、前記さらなる収納手段（１９ｃ）が、前記側方からの優先アクセス部位（３７）の反対側の位置に設置されている、照明器（３）。
【請求項２３】
請求項１から２２のいずれか一項に記載の照明器（３）において、前記後面（２５）が、前記開口（２１）の位置および前記開口（２１）の周辺に、前記機能的なケース要素によって画定された障害物のない凹形空間を有している、照明器（３）。
【請求項２４】
物体の画像を取得する光学装置（２）と、請求項１から２３のいずれか一項に記載の照明器（３）と、を備えた画像取得システム（１）。
【請求項２５】
物体の画像を取得する光学装置（２）を備えた画像取得システム（１）用の照明器（３）であって、
前記光学装置（２）には光学手段（６）が設けられ、
当該照明器（３）は、前記光学装置（２）に連結可能であり、
前記光学手段（６）を挿通させる開口（２１）が設けられたボディ（２０）と、
前記ボディ（２０）の前面（２２）において前記開口（２１）の周りに設置された照明手段（２３）であって、前記前面（２２）の前方の空間を照明するように前記光学装置（２）によってオン切替が指令可能である照明手段（２３）と、を備えた照明器（３）において、
さらに、
人間のための表示／報知手段（３０ａ，３０ｂ，３１ａ，３１ｂ，３２，３５）と、
前記表示／報知手段（３０ａ，３０ｂ，３１ａ，３１ｂ，３２，３５）を制御する制御手段と、
当該制御手段に接続された通信手段であって、当該照明器（３）によって格納されているかもしくは測定され、または当該照明器（３）によって格納されかつ測定された情報と、前記表示／報知手段（３０ａ，３０ｂ，３１ａ，３１ｂ，３２，３５）によって前記人間に提供される表示／報知とのいずれか一方または両方に関して、前記光学装置（２）とデータを交換することと、前記光学装置（２）から指令を受け取ることとのいずれか一方または両方を行う通信手段と、
を備えたことを特徴とする、照明器（３）。
【請求項２６】
請求項２５に記載の照明器（３）において、人間のための前記表示／報知手段（３０ａ，３０ｂ，３１ａ，３１ｂ，３２，３５）が、視野を示す少なくとも１つの表示を発する照準手段（３０ａ，３０ｂ）と、光表示手段（３１ａ，３１ｂ）と、ポジティブな読取結果を知らせる音響報知手段（３２）と、前記光学手段（２）のステータスを示すステータス光表示手段（３５）とのいずれか１つまたは任意の組合せを含む、照明器（３）。
【請求項２７】
請求項２６に記載の照明器（３）において、前記照準手段（３０ａ，２０ｂ）が、予め設定された向きの第１の光発射手段（３０ａ）と、予め設定された向きの第２の光発射手段（３０ｂ）のいずれか一方または両方を含むことと、
前記光表示手段が、ポジティブな読取結果を示す第１の表示体（３１ａ）とネガティブな読取結果を示す第２の表示体（３１ｂ）のいずれか一方または両方を含むこととのいずれか一方または両方を満たす、照明器（３）。
【請求項２８】
請求項２７に記載の照明器（３）において、前記通信手段が、前記光学装置（２）に接続するための通信用のコネクタ手段（４２ａ）を含み、ポジティブな読取結果もしくはネガティブな読取結果を示す前記表示手段（３１ａ，３１ｂ）が、前記通信用のコネクタ手段（４２ａ）のうちの対応する接点で受け取り可能なデジタル信号によって指令可能である、照明器（３）。
【請求項２９】
請求項２６から２８のいずれか一項に記載の照明器（３）において、前記通信手段が、前記光学装置（２）に接続する通信用のコネクタ手段（４２ａ）を含み、前記照準手段（３０ａ，３０ｂ）が、前記通信用のコネクタ手段（４２ａ）のうちの対応する接点で受け取り可能なデジタル信号によって指令可能である、照明器（３）。
【請求項３０】
請求項２５から２９のいずれか一項に記載の照明器（３）において、前記通信手段が、前記光学装置（２）に接続する通信用のコネクタ手段（４２ａ）を含み、前記照明手段（２３）のオン切替が、前記通信用のコネクタ手段（４２ａ）のうちの対応する接点で受け取り可能なデジタル信号によって指令可能である、照明器（３）。
【請求項３１】
請求項２５から３０のいずれか一項に記載の照明器（３）において、前記照明手段が、予め定められた数のセットにグループ分け可能な複数の照明素子を含み、各セットのオン切替が個別に指令可能である、照明器（３）。
【請求項３２】
請求項２５から３１のいずれか一項に記載の照明器（３）において、前記通信手段は、当該照明器（３）が、前記光学装置（２）から指令を受け取ることと、前記光学装置（２）とデータを交換することとのいずれか一方または両方を行う通信ネットワークを含む、照明器（３）。
【請求項３３】
請求項３１に従属する請求項３２に記載の照明器（３）において、前記セットのそれぞれの前記オン切替が、前記通信ネットワークで受け取り可能な対応する指令によって個別に指令可能である、照明器（３）。
【請求項３４】
請求項３１に従属する請求項３２に記載の照明器（３）において、前記照明素子の光強度が、前記通信ネットワークで受け取り可能な対応する指令によって指令可能である、照明器（３）。
【請求項３５】
請求項２６から３１のいずれか一項に従属する場合の請求項３２に記載の照明器（３）において、前記音響報知手段（３２）が、前記通信ネットワークで受け取り可能な対応する指令によって指令可能であることと、
前記ステータス光表示手段（３５）が、前記通信ネットワークで受け取り可能な対応する指令によって指令可能であることとのいずれか一方または両方を満足する、照明器（３）。
【請求項３６】
請求項３２に記載の照明器（３）において、当該照明器（３）に格納された前記情報が、前記制御手段に格納された当該照明器（３）のバージョンを含み、当該バージョンは、前記通信ネットワークで受け取り可能な対応する指令により、前記通信ネットワークを介して前記光学装置（２）が取得可能である、照明器（３）。
【請求項３７】
請求項３２に記載の照明器（３）において、さらに、
当該照明器（３）の診断手段を備え、
複雑な情報データが、前記診断手段によって測定と処理のいずれか一方または両方が行われた診断情報であり、当該診断情報は、前記通信ネットワークで受け取り可能な対応する指令により、前記通信ネットワークを介して前記光学装置（２）が取得可能である、照明器（３）。
【請求項３８】
請求項３２から３７のいずれか一項に記載の照明器（３）において、前記通信手段が、前記光学装置（２）に接続する通信用のコネクタ手段（４２ａ）を含み、前記通信ネットワークが、前記通信用のコネクタ手段（４２ａ）のうちの２つの接点によって構成可能である、照明器（３）。
【請求項３９】
物体の画像を取得する光学装置（２）と、請求項２５から３８のいずれか一項に記載の照明器（３）と、を備えた画像取得システム（１）。